(57)【要約】【課題】  Ｇコードによる録画予約を簡単な操作で行うことができる予約システムを提供する。【解決手段】  新聞やＴＶ番組情報雑誌等のＴＶ番組表に記載されたＧコードを撮像するカメラと、撮像した画像からＧコードを認識する画像認識機能と、認識されたＧコードを記録装置に送信する無線送信機能とを備えたカメラ付き携帯電話装置。【選択図】  図１
2006033400.tif 000002
【特許請求の範囲】
【請求項１】
画像を撮像する撮像手段と、
該撮像手段により撮像したＧコードを含む画像からＧコードを認識する画像認識手段と、
認識したＧコードをテレビ受信装置に送信する送信手段とを備えた携帯電話装置と、
前記携帯電話装置から受信したＧコードにより録画予約又は視聴予約を行うテレビ受信装置とからなる予約システム。
【請求項２】
画像を撮像する撮像手段と、
該撮像手段により撮像したＧコードを含む画像からＧコードを認識する画像認識手段と、
認識したＧコードを記録装置に送信する送信手段とを備えた携帯電話装置と、
前記携帯電話装置から受信したＧコードにより録画予約を行う記録装置とからなる予約システム。
【請求項３】
前記携帯電話装置は、前記撮像手段による撮像対象画像を表示する表示部を備えており、Ｇコードを含む画像を撮像する際に、撮像対象画像の上下の一定領域をマスクして表示することを特徴とする請求項１又は２に記載の予約システム。
【請求項４】
画像を撮像する撮像手段と、
該撮像手段により撮像したＧコードを含む画像からＧコードを認識する画像認識手段と、
認識したＧコードをテレビ受信装置又は記録装置に送信する送信手段とを備えた携帯電話装置。
【請求項５】
前記携帯電話装置は、前記撮像手段としてＣＣＤカメラを備えていることを特徴とする請求項４に記載の携帯電話装置。
【請求項６】
前記携帯電話装置は、前記撮像手段による撮像対象画像を表示する表示部を備えており、Ｇコードを含む画像を撮像する際に、撮像対象画像の上下の一定領域をマスクして表示することを特徴とする請求項４又は５に記載の携帯電話装置。
【発明の詳細な説明】
【技術分野】
【０００１】
本発明は、Ｇコードによる番組予約システムに関し、特に、カメラ付き携帯電話装置を用いて撮像したＧコードによって番組予約を行うことができるシステム及びそれに用いるカメラ付き携帯電話装置に関するものである。
【背景技術】
【０００２】
近年、アナログ又はデジタルのＶＴＲ（Video Tape Recorder）や、ＤＶＤレコーダ、ＨＤＤレコーダなどの記録装置において、Ｇコードを入力することにより録画予約を行うシステムが普及している。Ｇコードは、各番組に割り当てられた８桁の数字コードであり、この数字コードによりその番組の放送チャンネル、放送開始時刻、放送時間（録画時間）などが特定されるようになっている。
【０００３】
Ｇコードは、一般的には、新聞やＴＶ番組情報雑誌などのＴＶ番組表に記載されている。ユーザは、そのようなＴＶ番組表から録画したい番組のＧコードを取得し、リモートコントローラ（以下、「リモコン」という）などの操作機器を用いて、記録装置にＧコードを入力することにより、録画予約を行うことができる。これにより、従来の録画予約方法のように、録画したい番組の放送チャンネル、放送開始時刻、放送時間（録画時間）などをユーザが入力する手間が省かれている。
【０００４】
一方で、デジタル放送技術の発展により、ＥＰＧ（Electronic Program Guide：電子番組表）データがデジタル放送波に含めて放送され、また、インターネットで配信されている。デジタル放送波又はインターネットからＥＰＧデータを取得可能な記録装置では、ユーザがＥＰＧデータに含まれる番組情報に基づいて録画予約を行うことができる。
【０００５】
特許文献１に記載の発明は、このＥＰＧデータを利用した録画予約システムに関するものであり、携帯電話端末を用いてＥＰＧサーバにアクセスし、ＥＰＧデータに基づいて録画予約したい番組を選択し、その録画予約データをパーソナルコンピュータ（記録装置を含む）に送信することにより、遠隔地から記録装置に対して録画予約を行うことができるシステムである。
【特許文献１】特開２００２−１１８８０５号公報
【発明の開示】
【発明が解決しようとする課題】
【０００６】
しかしながら、ＶＴＲ、ＤＶＤレコーダ、ＨＤＤレコーダなどの記録装置に対してＧコードにより録画予約を行うためには、ユーザは手元の番組表を見ながら記載されているＧコードの８桁の数字をリモコン等に入力してから記録装置に送信するという操作を行う必要がある。多数の録画予約を行う場合などには、このＧコードの入力操作が煩わしい作業となってしまう。また、リモコンが常にユーザの手元にあるとも限らない。
【０００７】
本発明は、このような実情に鑑みてなされたものであり、Ｇコードによる録画予約を簡単な操作で行うことができる予約システムを提供しようとするものである。
【課題を解決するための手段】
【０００８】
上記解決課題に鑑みて鋭意研究の結果、本発明者は、新聞やＴＶ番組情報雑誌等のＴＶ番組表に記載されたＧコードを撮像するカメラと、撮像した画像からＧコードを認識する画像認識機能と、認識されたＧコードを記録装置に送信する無線送信機能とを備えたカメラ付き携帯電話装置により、ユーザが簡単な操作でＧコードを記録装置に入力することができることに想到した。
【０００９】
すなわち、本発明は、画像を撮像する撮像手段と、該撮像手段により撮像したＧコードを含む画像からＧコードを認識する画像認識手段と、認識したＧコードをテレビ受信装置に送信する送信手段とを備えた携帯電話装置と、前記携帯電話装置から受信したＧコードにより録画予約又は視聴予約を行うテレビ受信装置とからなる予約システムを提供するものである。
【００１０】
本発明は、また、画像を撮像する撮像手段と、該撮像手段により撮像したＧコードを含む画像からＧコードを認識する画像認識手段と、認識したＧコードを記録装置に送信する送信手段とを備えた携帯電話装置と、前記携帯電話装置から受信したＧコードにより録画予約を行う記録装置とからなる予約システムを提供するものである。
【００１１】
本発明の予約システムにおいて、前記携帯電話装置は、前記撮像手段による撮像対象画像を表示する表示部を備えており、Ｇコードを含む画像を撮像する際には、撮像対象画像の上下の一定領域をマスクして表示することを特徴とする。これにより、８桁の数字からなるＧコードの撮像がユーザにとって容易となる上、Ｇコード以外の画像が省かれるため画像認識の精度も向上されることとなる。
【００１２】
本発明は、また、画像を撮像する撮像手段と、該撮像手段により撮像したＧコードを含む画像からＧコードを認識する画像認識手段と、認識したＧコードをテレビ受信装置又は記録装置に送信する送信手段とを備えた携帯電話装置を提供するものである。
【００１３】
本発明の携帯電話装置において、前記携帯電話装置は、前記撮像手段としてＣＣＤカメラを備えていることを特徴とする。現在広く普及しているカメラ付き携帯電話装置を応用することにより本発明の携帯電話装置を構成することができる。
【００１４】
本発明の携帯電話装置において、前記携帯電話装置は、前記撮像手段による撮像対象画像を表示する表示部を備えており、Ｇコードを含む画像を撮像する際には、撮像対象画像の上下の一定領域をマスクして表示することを特徴とする。これにより、８桁の数字からなるＧコードの撮像がユーザにとって容易となる上、Ｇコード以外の画像が省かれるため画像認識の精度も向上されることとなる。
【発明の効果】
【００１５】
以上、説明したように、本発明のＧコード予約システム及び該システムに用いる携帯電話装置によれば、ユーザはＧコードを入力する操作に煩わされることなく、簡単な操作で録画予約を行うことができる。
【発明を実施するための最良の形態】
【００１６】
以下、添付図面を参照しながら、本発明のＧコード予約システム及び該システムに用いる携帯電話装置を実施するための最良の形態を詳細に説明する。図１〜図６は、本発明の実施の形態を例示する図であり、これらの図において、同一の符号を付した部分は同一物を表わし、基本的な構成及び動作は同様であるものとする。
【００１７】
図１及び図２は、本実施形態において用いる携帯電話装置の外観を示す斜視図であり、それぞれ、携帯電話装置の操作パネル側の外観及びＣＣＤカメラ側の外観を表している。図１において、携帯電話装置１００は、メインの液晶ディスプレイ１１０と、操作パネル１２０と、アンテナ１３０と、赤外線発光部１４０と、メモリカード１５０とを備えている。また、図２において、携帯電話装置１００は、ＣＣＤカメラ１６０と、サブの液晶ディスプレイ１７０とを備えている。
【００１８】
図３は、図１及び図２に示す携帯電話装置１００の内部構成を概略的に示す機能ブロック図である。図３において、携帯電話装置１００は、メイン及びサブの液晶ディスプレイ１１０及び１７０を制御する表示制御部３１０と、マイクロフォン及びスピーカを制御する音声制御部３２０と、操作パネル１２０からの入力を受け付ける操作入力部３３０と、アンテナ１３０による無線通信を行うための無線通信処理部３４０と、ＣＣＤカメラ１６０で撮像した画像を認識するための画像認識処理部３５０と、赤外線発光部１４０による信号送信を制御する赤外線通信制御部３６０と、メモリカード１５０に対してデータの読み取り及び書き込みを行う記録媒体制御部３７０と、携帯電話装置１００内で利用されるデータを一時的に保持するＲＡＭ３８０と、ＣＣＤカメラ１６０の動作を制御するとともにＣＣＤカメラ１６０により撮像した画像を取り込むためのカメラインタフェース３９０と、これらの構成部分の動作並びに構成部分間のデータ授受を制御する主制御部３００とを有している。
【００１９】
次に、本実施形態において、図１〜図３に示す携帯電話装置１００を用いて記録装置に対して録画予約行う動作について説明する。本実施形態では、記録装置としては、アナログ又はデジタルのＶＴＲや、ＤＶＤレコーダ、ＨＤＤレコーダなどを想定しているが、本発明はこれに限定されるわけではない。例えば、大容量メモリやリムーバブルを有するテレビ受信装置において録画予約や視聴予約を行う場合においても、以下に説明する実施形態を応用することは可能である。
【００２０】
図４は、携帯電話装置１００を用いてＴＶ番組表からＧコードを取得する態様を表す図である。図４に示すように、ユーザは、新聞やＴＶ番組情報雑誌などに掲載されているＧコード付きＴＶ番組表４００に対して携帯電話装置１００のＣＣＤカメラ１６０を向け、液晶ディスプレイ１１０に表示される撮像対象の画面を見ながら、録画予約したい番組のＧコードを撮像する。撮像後、自動的にあるいはユーザがＧコード認識の操作を行うことにより、画像認識処理部３５０は、撮像された画像の中に含まれる数字を読み取り、Ｇコードとして認識する。
【００２１】
図５は、携帯電話装置１００においてＴＶ番組表からＧコードを取得する際に液晶ディスプレイ１１０に表示される撮像対象画面の例を示す図である。ユーザはまず、携帯電話装置１００をリモコンモードで起動し、録画を行う記録装置のメーカーとそのリモコンコードを入力する。次に、携帯電話装置１００のカメラモードを立ち上げ、さらにＧコードモードに設定する。すると、図５に示すように、液晶ディスプレイ１１０には、ＣＣＤカメラ１６０により撮像した画像のうち上下の一定領域がマスクされた画像が表示されるようになっている。これにより、８桁の数字からなるＧコードの撮像がユーザにとって容易となる上、Ｇコード以外の画像が省かれるため画像認識の精度も向上されることとなる。その後、録画予約モードを立ち上げ、取得したＧコードのうち予約録画を行うものを選択して、そのＧコードを記録装置に送信することにより録画予約を行うことができる。尚、携帯電話装置１００においてＥＰＧデータを保持している場合には、Ｇコードが選択された後にそのＧコードに対応する番組情報を表示し、ユーザに録画予約内容の確認を促すようにしてもよい。
【００２２】
図６は、携帯電話装置１００において取得したＧコードを記録装置に送信する態様を表す図である。図６に示すように、ユーザは、携帯電話装置１００の赤外線発光部１４０を記録装置６００に向けてＧコード送信の操作を行うことにより、選択されたＧコードや他の録画予約に関する情報が赤外線により送信される。こうして、記録装置にはユーザが録画予約を行おうとしている番組のＧコードが受信されて、録画予約（あるいは視聴予約でもよい）が設定されることとなる。
【００２３】
以上、本発明のＧコード予約システム及び該システムに用いる携帯電話装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００２４】
【図１】本発明の一実施形態において用いる携帯電話装置の操作パネル側の外観を示す斜視図である。
【図２】本発明の一実施形態において用いる携帯電話装置のＣＣＤカメラ側の外観を示す斜視図である。
【図３】図１及び図２に示す携帯電話装置の内部のシステム構成を概略的に示す機能ブロック図である。
【図４】図１〜図３に示す携帯電話装置を用いてＴＶ番組表からＧコードを取得する態様を表す図である。
【図５】図１〜図３に示す携帯電話装置においてＴＶ番組表からＧコードを取得する際に液晶ディスプレイに表示される画面の例を示す図である。
【図６】図１〜図３に示す携帯電話装置において取得したＧコードを記録装置に送信する態様を表す図である。
【符号の説明】
【００２５】
１００  携帯電話装置
１１０  液晶ディスプレイ
１２０  操作パネル
１３０  アンテナ
１４０  赤外線発光部
１５０  メモリカード
１６０  ＣＣＤカメラ
１７０  液晶ディスプレイ
３００  主制御部
３１０  表示制御部
３２０  音声制御部
３３０  操作入力部
３４０  無線通信処理部
３５０  画像認識処理部
３６０  赤外線通信制御部
３７０  記録媒体制御部
３８０  ＲＡＭ
３９０  カメラインタフェース
４００  ＴＶ番組表
６００  記録装置
【図１】
2006033400.tif 000003
【図２】
2006033400.tif 000004
【図３】
2006033400.tif 000005
【図４】
2006033400.tif 000006
【図５】
2006033400.tif 000007
【図６】
2006033400.tif 000008